(57)【要約】      （修正有）【課題】先頭トラックから所定トラックまでデータが記録されたディスクを容易に作成し、ＥＭＣ検査時の手間を省いたディスク装置を提供する。【解決手段】制御部は、所定トラックのトラック番号の入力をユーザに対し要求するメッセージを表示部で表示する。制御部は、先頭トラック１０１から、入力されたトラック番号の所定トラック１０２までダミーデータをＰＵヘッド１２に記録させる。この結果、ダミーデータが先頭トラック１０１から所定トラック１０２まで記録された光ディスク１００が完成する。そのため、ＥＭＣ検査時の手間を省くことができる。その後、ＥＭＣ検査官がデータの記録を指示すると、制御部１１は、ＰＵヘッド１２を用いて、ダミーデータの続きから、即ち特定のトラック１０３の手前からデータを光ディスク１００に記録する。【選択図】  図５
2009104719.tif 000002
【特許請求の範囲】
【請求項１】
データをディスクにトラック毎に記録する記録手段を備え、前記記録手段が記録しているトラックに応じて異なる電磁波を放射するディスク装置において、
前記ディスク上にダミーデータを作成するダミー作成モードの実行を指定するための指定手段を備え、
前記記録手段は、
前記指定手段において前記ダミー作成モードが実行されると、前記ディスクの先頭トラックから所定トラックまで前記ダミーデータを前記ディスクに記録し、
データの記録が指示されると、前記ダミーデータの続きから該データを前記ディスクに記録するディスク装置。
【請求項２】
前記ディスクからデータをトラック毎に読取る読取手段を備え、前記読取手段が読取っているトラックに応じて異なる電磁波を放射するディスク装置において、
前記読取手段は、データの読取が指示されると、前記所定トラックのデータを読取る請求項１に記載のディスク装置。
【請求項３】
前記所定トラックのディスク上の位置を示すトラック情報の入力を受付ける入力手段を備え、
前記記録手段は、前記指定手段において前記ダミー作成モードが実行されると、前記先頭トラックから、前記入力手段で入力された前記トラック情報に対応するトラックまで前記ダミーデータを前記ディスクに記録する請求項１又は２に記載のディスク装置。
【請求項４】
前記ディスクは、データを記憶するデータ領域と、そのデータが記憶されている前記ディスク上の位置をアドレス情報として記憶する記憶管理領域と、に分かれ、
前記記録手段は、前記指定手段において前記ダミー作成モードが実行されると、前記先頭トラックから前記所定トラックまで前記ダミーデータが前記ディスクに記憶されていることを示す偽のアドレス情報を作成し、その偽のアドレス情報のみを前記ディスクに記録する請求項１から３のいずれかに記載のディスク装置。
【請求項５】
前記ディスクは、ハードディスク、ＤＶＤ又はブルーレイディスクである請求項１から４のいずれかに記載のディスク装置。
【発明の詳細な説明】
【技術分野】
【０００１】
本発明は、ハードディスクや光ディスクなどのディスクに対しデータをトラック毎に記録するディスク装置に関するものである。
【背景技術】
【０００２】
従来より、ハードディスクやブルーレイディスクなどのディスクに対しデータをトラック毎に記録するディスク装置が一般に広く普及している。
【０００３】
ディスク装置は、他の電子機器と同様に、さまざまな電磁波（電磁ノイズ）を放射し、他の機器に影響を与える。この電磁ノイズは、医療機器や心臓にペースメーカーを入れている人にとって重大なノイズである。そのため、ディスク装置においても、周辺に電磁ノイズの影響を及ぼさず、且つ自らも周辺からの電磁ノイズの影響を受けないEMC（Electromagnetic Compatibility）対策が要求されている。
【０００４】
そこで、ディスク装置の開発担当者等は、ディスク装置の出荷前に、ＥＭＣ対策で求められている要求基準をディスク装置が満たしているかどうか検査している。この検査は、ＥＭＣ検査と呼ばれ、ディスクに対しデータを実際に記録し、その記録によって放射される電磁波の電界強度を測定することにより行われる。
一方、特許文献１では、コンピュータの診断方法が提案されている。
【特許文献１】特開平６−２４２９８１号公報
【発明の開示】
【発明が解決しようとする課題】
【０００５】
しかしながら、ディスク装置から放射される電磁波は、記録されているトラックに応じて異なっている。また、ＥＭＣ検査では、全トラックの内の特定のトラックから異常な電磁波が放射されることが多い。
そのため、開発担当者は、ＥＭＣ検査において、全トラックでなく特定のトラックを調査することが多かった。この調査は、その特定のトラックの手前からデータを記録して、該特定のトラックから放射される電磁波を検査することにより行われる。そのために、開発担当者は、実際にテレビ番組などをディスクに録画することによって、先頭トラックから特定のトラックの手前にある所定トラックまでデータをディスクに記録していた。
よって、従来のディスク装置では、所定トラックまでデータが記録されたディスクを作成するために非常に手間がかかっていた。従って、従来のディスク装置では、ＥＭＣ検査に非常に手間がかかっていた。
【０００６】
本発明はこのような従来の課題を解決しようとするものであり、先頭トラックから所定トラックまでデータが記録されたディスクを容易に作成し、ＥＭＣ検査時の手間を省いたディスク装置を提供することを目的とする。
【課題を解決するための手段】
【０００７】
本発明のディスク装置は、前記課題を解決するために以下の構成を備えている。
【０００８】
（１）データをディスクにトラック毎に記録する記録手段を備え、前記記録手段が記録しているトラックに応じて異なる電磁波を放射するディスク装置において、
前記ディスク上にダミーデータを作成するダミー作成モードの実行を指定するための指定手段を備え、
前記記録手段は、
前記指定手段において前記ダミー作成モードが実行されると、前記ディスクの先頭トラックから所定トラックまで前記ダミーデータを前記ディスクに記録し、
データの記録が指示されると、前記ダミーデータの続きから該データを前記ディスクに記録する。
【０００９】
この構成では、ＥＭＣ検査官が、所定トラックまでデータが記録されたディスクを作成し、データをディスク装置に記録させ、特定のトラックから放射される電磁波を検査する場面を想定している。この場面において、ＥＭＣ検査官は、所定トラックを、データの記録時に異常な電磁波が放射されることが多い特定のトラックの手前に予め設定する。ここで、ディスクは、例えばハードディスク、又は光ディスクである。光ディスクは、例えばＤＶＤ又はブルーレイディスクである。
この構成において、ＥＭＣ検査官がダミー作成モードの実行を指定すると、先頭トラックから所定トラックまでダミーデータが記録されたディスクが記録手段により作成される。この後、ＥＭＣ検査官は、データの記録を指示して、ダミーデータの続きからデータをディスク装置に記録させていくことにより、特定のトラックのＥＭＣ検査を行う。
以上より、先頭トラックから所定トラックまでデータが記録されたディスクを容易に作成できる。従って、ＥＭＣ検査時の手間を省くことができる。また、データが先頭トラックから所定トラックまで記録されたディスクに対してデータの記録を行うので、ユーザの実際の使用状況下でＥＭＣ検査を行える。
【００１０】
なお、トラックとは、ハードディスクやCD-ROMなどのディスクにおけるデータの記憶領域のひとつである。ハードディスクでは、データは同心円状の領域に区切られて記録されており、1枚のディスクの片面にある同心円状に区切られた領域のことを「トラック」という。1つのトラックは、「セクタ」と呼ばれるさらに細かい記憶領域に分割され、記憶領域の最小単位を形成する。一方、CD-ROMやDVD-ROMなどでは、データは同心円状ではなく、らせん状の1本の線上に記録される。この1本の線を1つ以上に分割した領域を「トラック」という。トラックはさらに細かく分割され、「フレーム」と呼ばれる記憶領域の最小単位を形成する。
【００１１】
（２）前記ディスクからデータをトラック毎に読取る読取手段を備え、前記読取手段が読取っているトラックに応じて異なる電磁波を放射するディスク装置において、
前記読取手段は、データの読取が指示されると、前記所定トラックのデータを読取る。
【００１２】
この構成では、ＥＭＣ検査官が、上記（１）で作成したディスクからデータをディスク装置に読取らせ、特定のトラックから放射される電磁波を検査する場面を想定している。この場面において、ＥＭＣ検査官は、所定トラックを、データの読取時に異常な電磁波が放射されることが多い特定のトラックに予め設定する。
この構成において、ＥＭＣ検査官は、データの読取を指示して、所定トラックのデータをディスク装置に読取らせることにより、特定のトラックのＥＭＣ検査を行う。
以上より、特定のトラックのデータを読取るＥＭＣ検査時においても、手間を省くことができる。また、データが先頭トラックから所定トラックまで記録されたディスクに対してデータの読取を行うので、ユーザの実際の使用状況下でＥＭＣ検査を行える。
【００１３】
（３）前記所定トラックのディスク上の位置を示すトラック情報の入力を受付ける入力手段を備え、
前記記録手段は、前記指定手段において前記ダミー作成モードが実行されると、前記先頭トラックから、前記入力手段で入力された前記トラック情報に対応するトラックまで前記ダミーデータを前記ディスクに記録する。
【００１４】
この構成において、トラック情報は、例えば、ディスクに予め割振られているトラック番号、アドレスである。
以上より、ＥＭＣ検査官は、入力手段で所定トラックのトラック情報を入力することにより、所定トラックを自身の検査方法に応じて設定できる。
【００１５】
（４）前記ディスクは、データを記憶するデータ領域と、そのデータが記憶されている前記ディスク上の位置をアドレス情報として記憶する記憶管理領域と、に分かれ、
前記記録手段は、前記指定手段において前記ダミー作成モードが実行されると、前記先頭トラックから前記所定トラックまで前記ダミーデータが前記ディスクに記憶されていることを示す偽のアドレス情報を作成し、その偽のアドレス情報のみを前記ディスクに記録する。
【００１６】
この構成により、ダミーデータは、実質的にディスクに記録されていないが、論理的にディスクに記録されていることになる。そして、記録手段は、偽のアドレス情報に基づいて、ダミーデータの続きからデータをディスクに記録する。また、読取手段は、偽のアドレス情報に基づいて所定トラックのデータを読取る。
以上により、先頭トラックから所定トラックまでダミーデータを記録する時間を短縮できる。
【００１７】
（５）前記ディスクは、ハードディスク、ＤＶＤ又はブルーレイディスクである。
【発明の効果】
【００１８】
この発明によれば、先頭トラックから所定トラックまでデータが記録されたディスクを容易に作成できる。従って、ＥＭＣ検査時の手間を省くことができる。
【発明を実施するための最良の形態】
【００１９】
以下、本発明の実施形態であるＤＶＤレコーダについて説明する。
【００２０】
図１は、本発明の実施形態であるＤＶＤレコーダのＥＭＣ検査時の様子を示す図である。ＤＶＤレコーダ１０は、ＤＶＤレコーダ１０の出荷前に、ＥＭＣ対策で求められている要求基準をＤＶＤレコーダ１０が満たしているかどうか、図１に示す環境下で検査される。ここで、ＥＭＣ（Electromagnetic Compatibility）は、電磁両立性の略であり、ＥＭＩとＥＭＳの併せ持たせた性能（電磁波を機器の外に出さない、外来電磁波に対しての耐力又は耐性）である。
【００２１】
ここで、ＥＭＣ検査について図１を用いて詳述する。まず、ＥＭＣ検査官は、ＤＶＤレコーダ１０と電磁波を受信する受信アンテナ２１とを電波暗室１に配置する。受信アンテナ２１は、別室の測定室２に配置された測定装置２０と接続されている。測定装置２０は、電磁波の電界強度を測定する装置である。このような環境下で、ＥＭＣ検査官は、ＤＶＤに対するデータの記録または読取をＤＶＤレコーダ１０に実行させる。すると、電磁波５、６がＤＶＤレコーダ１０から放射され、受信アンテナ２１で受信される。受信された電磁波５、６は測定室２に伝送され、測定装置２０において電磁波５、６の電解強度が測定される。そして、ＥＭＣ検査官が、測定装置２０の測定結果を観察する。このようにして、ＥＭＣ検査官は、ＤＶＤレコーダ１０のＥＭＣ検査を行う。
【００２２】
図２は、本発明の実施形態であるＤＶＤレコーダの主要部の構成を示す図である。ＤＶＤレコーダ１０は、ＤＶＤレコーダ１０の各部の動作を制御する制御部１１と、光ディスク１００に対しデータの記録や読取を行うピックアップヘッド１２（以下、PUヘッド１２と称する。）と、RFアンプなどの記録再生部１３と、ユーザによる操作を受け付ける操作部１８と、情報を表示する表示部１７と、データを記憶する記憶部１９と、音声データをアナログの再生音声信号に変換するＤ／Ａコンバータ１４と、映像データをアナログの再生映像信号に変換する映像処理部１５と、ＴＶ放送信号を受信してＡＶ（オーディオビデオ）データを取得する受信部１６と、を備えている。
光ディスク１００は、記録可能な光ディスクである。光ディスク１００は、例えば、ＤＶＤ−Ｒ、ＤＶＤ＋Ｒ、ＤＶＤ−ＲＷ、ＤＶＤ＋ＲＷ、又はＤＶＤ−ＲＡＭである。
【００２３】
PUヘッド１２は、レーザダイオード（ＬＤ）、コリメータレンズ、ビームスプリッタ、対物レンズ、フォトディテクタ、スレッドモータ、及びアクチュエータを備えている（いずれも不図示）。
PUヘッド１２は、光ディスク１００の半径方向に延びる軸に移動自在に取り付けられている。スレッドモータが、PUヘッド１２を光ディスク１００の半径方向に移動する。
ＬＤは、レーザ光を出力する光源である。フォトディテクタは、複数の受光素子で形成されており、光ディスク１００からの反射光を検出する。
【００２４】
まず、読取時の動作について説明する。
PUヘッド１２は、光ディスク１００に対して読取パワーのレーザ光を照射し、光ディスク１００からの反射光をフォトディテクタで検出する。これにより、光ディスク１００に記録されている情報を光学的に読み出す。
【００２５】
記録再生部１３は、PUヘッド１２における複数の受光素子の出力に基づいてＲＦ信号を生成し、そのＲＦ信号を増幅する。そして、記録再生部１３は、そのＲＦ信号を処理してデータを取り出す。ここで、取り出される映像と音声等のデータは、例えばＭＰＥＧでエンコードされている。そして、記録再生部１３は、映像と音声等のデータをデコードする。最後に、記録再生部１３は、音声データをＤ／Ａコンバータ１４に、映像データを映像処理部１５に、両データの同期を取りながら、それぞれ出力する。
【００２６】
Ｄ／Ａコンバータ１４は、伸長された音声データをアナログの再生音声信号に変換し、その再生音声信号を外部のテレビジョン等に出力する。映像処理部１５は、入力された映像データをアナログの再生映像信号に変換し、外部のテレビジョン等に出力する。
【００２７】
次に、記録時の動作について説明する。
受信部１６は、例えばチューナである。受信部１６は、ＴＶ放送等を受信するアンテナから選択されているチャンネルのＴＶ放送信号を抽出して、Ａ／Ｄ変換してディジタル化し、出力する。
【００２８】
そして、記録再生部１３は、入力されたデータを（例えば、ＭＰＥＧで）エンコードし、ディジタル信号をPUヘッド１２に出力する。
【００２９】
そして、PUヘッド１２は、記録再生部１３からディジタル信号が入力されると、このディジタル信号に応じて記録パワーのレーザ光を制御し、光ディスク１００の記録面に照射する。これにより、ユーザは、テレビ番組などのコンテンツを光ディスク１００に録画する。
【００３０】
操作部１８には、ユーザがＤＶＤレコーダ１０に対して各種の命令（コマンド）を入力するための複数のキーが設けられている。ＤＶＤレコーダ１０に対してユーザが入力したコマンドは、操作部１８から制御部１１に伝送される。
上記複数のキーの中には、光ディスク１００上にダミーデータを作成するダミー作成モードの実行を指定するための指定キーと、所定トラックのトラック番号又はアドレスを入力するための入力キーと、光ディスク１００に記録されたコンテンツの再生を指示するための再生キーと、光ディスク１００へのコンテンツの記録を指示するための録画キーと、が含まれる。ここで、ダミー作成モードと所定トラックの詳細については、後述する。
なお、アドレスおよびトラック番号のそれぞれが、本発明の「トラック情報」に相当する。
【００３１】
記憶部１９は、例えばＥＥＰＲＯＭで構成されている。記憶部１９は、ＤＶＤレコーダ１０の各部の制御方法が記述された制御プログラムを記憶する。
【００３２】
表示部１７は、例えばLCD（Liquid Crystal Display）で構成される。表示部１７は、時刻、ユーザに対するメッセージなどを表示する。
【００３３】
制御部１１は、例えばマイクロコンピュータで構成されている。さらに、上記制御プログラムで処理されるデータを展開するためのワークフィールドとしてのＲＡＭ（不図示）を内臓する。制御部１１は、ＤＶＤレコーダ１０にユーザから入力された命令に応じてＤＶＤレコーダ１０の各部の動作を制御する。
なお、実際の光ディスク装置では、読取時や記録時に、レーザ光の照射位置を光ディスクのトラックの中心に合わせるトラッキングサーボ制御と、レーザ光の合焦位置を光ディスクの記録面に合わせるフォーカスサーボ制御と、を行っている。しかし、本発明の実施形態では図示を省略している。
【００３４】
ここで、PUヘッド１２、記録再生部１３、映像処理部１５、Ｄ／Ａコンバータ１４および制御部１１が、本発明の「読取手段」に相当する。また、PUヘッド１２、記録再生部１３、受信部１６および制御部１１が、本発明の「記録手段」に相当する。
【００３５】
図３は、光ディスク１００の記憶領域を示す図である。光ディスク１００の記憶領域は、その内周から外周にかけてＰＣＡ９０（Power  Calibration  Area）、ＲＭＡ９１（Recording  Management  Area）、リードイン領域９２、データ領域９３、リードアウト領域９４に分けられている。光ディスク１００は、データの記憶位置がアドレスで特定されるディスクである。
なお、図３で示す記憶領域は、後述の図５で示される先頭トラック１０１から所定トラック１０２までデータが記録された時の記憶領域と略同じになる。
【００３６】
ＰＣＡ９０は、レーザパワーの校正が行われる領域である。ＲＭＡ９１は、ＤＶＤレコーダ１０の記録時に必要な記録情報が記録されている領域である。
【００３７】
リードイン領域９２は、光ディスク１００上のデータ領域９３に記録されているデータのＴＯＣデータが記録されている領域である。このＴＯＣデータには、保存されたデータがファイナライズされているかどうかの情報、データが保存された日付、保存されたデータのタイトル情報、保存されたデータの光ディスク１００上の記憶位置を示すアドレス情報、光ディスク１００上のアドレスとトラック番号との対応関係が記述されたテーブル、などが含まれる。
データ領域９３は、ＡＶデータ等がトラック毎に記録される領域である。データ領域９３に存在する複数のトラックのそれぞれには、光ディスク１００上の記憶位置を示すトラック番号が予め割振られている。
リードアウト領域９４は、保存されたデータがファイナライズされた場合に作成される領域である。
なお、リードイン領域９２は、本発明の「記憶管理領域」に相当する。また、アドレスおよびトラック番号のそれぞれが、本発明の「トラック情報」に相当する。
【００３８】
図４は、本発明の実施形態であるＤＶＤレコーダの制御部が行う動作を示すフローチャートである。この動作は、ユーザが指定キーを押下した時の動作である。また、図５（Ａ）は、ダミーデータを作成した光ディスク１００に対しデータの記録を行った時の様子を示す図である。図５（Ｂ）は、ダミーデータを作成した光ディスク１００に対しデータの読取を行った時の様子を示す図である。
指定キーが押下されると、制御部１１は、図４に示すダミー作成モードを実行する。
【００３９】
まず、制御部１１は、所定トラックのトラック番号の入力をユーザに対し要求するメッセージを表示部１７で表示する（Ｓ１）。ユーザは、このメッセージを見て、トラック番号を入力キーで入力する。この時、ＥＭＣ検査官は、所定トラックを、データの記録時に異常な電磁波が放射されることが多い特定のトラックの手前に予め設定する。又は、ＥＭＣ検査官は、所定トラックを、データの読取時に異常な電磁波が放射されることが多い特定のトラックに予め設定する。この実施形態では、所定トラック１０２のトラック番号が入力されたとして以下説明する。
なお、ユーザは、直接、所定トラックのアドレスを入力キーで入力しても構わない。
【００４０】
所定トラックのトラック番号が入力キーで入力されると（Ｓ２）、制御部１１は、先頭トラック１０１から、入力されたトラック番号の所定トラック１０２までダミーデータをＰＵヘッド１２に記録させる（Ｓ３）。この結果、ダミーデータが先頭トラック１０１から所定トラック１０２まで記録された光ディスク１００が完成する（図５参照）。そのため、ＥＭＣ検査者は、実際にテレビ番組などを光ディスク１００に録画しなくとも済む。
以上より、先頭トラック１０１から所定トラック１０２までデータが記録された光ディスク１００を容易に作成できる。従って、ＥＭＣ検査時の手間を省くことができる。また、ＥＭＣ検査官は、入力キーで所定トラックのトラック番号を入力することにより、所定トラックを自身の検査方法に応じて設定できる。
【００４１】
なお、制御部１１は、ＴＯＣデータ中のテーブルに基づいて、入力されたトラック番号から所定トラック１０２のアドレスを把握する。
また、ダミーデータは、どのような符号でも構わず、例えば「１１１０１１１・・・」などで示されるデータである。
【００４２】
制御部１１は、データの記録が録画キーにより指示されたかどうか、データの読取が再生キーにより指示されたかどうか、を判断する（Ｓ４、Ｓ５）。ここで、Ｓ４及びＳ５では、データの記録をＤＶＤレコーダ１０に実行させるか、データの読取をＤＶＤレコーダ１０に実行させるか、をユーザが選択できる状態となっている。そのため、データの記録時に放射される電磁波のＥＭＣ検査を行う場合、ＥＭＣ検査官は、録画キーを押下する。また、データの読取時に放射される電磁波のＥＭＣ検査を行う場合、ＥＭＣ検査官は、再生キーを押下する。
【００４３】
Ｓ４において録画キーが押下されると、制御部１１は、ＰＵヘッド１２を用いて、ダミーデータの続きから、即ち特定のトラック１０３の手前からデータを光ディスク１００に記録し（Ｓ６）、本処理を終了する。この結果、データの記録が特定のトラック１０３に達すると、特定のトラック１０３から電磁波が放射される（図５Ａ参照）。Ｓ６では、データが先頭トラック１０１から所定トラック１０２まで記録された光ディスク１００に対してデータの記録を行うので、ＥＭＣ検査官は、ユーザの実際の使用状況下でＥＭＣ検査を行える。
【００４４】
一方、Ｓ５において再生キーが押下されると、制御部１１は、所定トラック１０２のデータをＰＵヘッド１２に読取らせ（Ｓ７）、本処理を終了する。これにより、所定トラック１０２である特定のトラック１０２から電磁波が放射される（図５Ｂ参照）。Ｓ７では、データが先頭トラック１０１から所定トラック１０２まで記録された光ディスク１００に対してデータの読取を行うので、ＥＭＣ検査官は、ユーザの実際の使用状況下でＥＭＣ検査を行える。
【００４５】
また、本発明の実施形態は、以下の変形例を採用することができる。
【００４６】
上記Ｓ３において先頭トラック１０１から所定トラック１０２までダミーデータを記録するには、非常に時間がかかる。
そこで、Ｓ２の後、制御部１１は、先頭トラック１０１から所定トラック１０２までダミーデータが光ディスク１００に記憶されていることを示す偽のアドレス情報を作成する。そして、制御部１１は、Ｓ３において、ダミーデータを光ディスク１００に記録せずに、その偽のアドレス情報のみを光ディスク１００に記録する。これにより、ダミーデータは、実質的に光ディスク１００に記録されていないが、論理的に光ディスク１００に記録されていることになる。そして、Ｓ６において制御部１１は、偽のアドレス情報に基づいて、ダミーデータの続きからデータを光ディスク１００に記録する。また、Ｓ７において制御部１１は、偽のアドレス情報に基づいて所定トラック１０２のデータを読取る。
以上により、先頭トラック１０１から所定トラック１０２までダミーデータを記録する時間を短縮できる。
【図面の簡単な説明】
【００４７】
【図１】本発明の実施形態であるＤＶＤレコーダのＥＭＣ検査時の様子を示す図
【図２】本発明の実施形態であるＤＶＤレコーダの主要部の構成を示す図
【図３】光ディスク１００の記憶領域を示す図
【図４】本発明の実施形態であるＤＶＤレコーダの制御部が行う動作を示すフローチャート
【図５】ダミーデータを作成した光ディスク１００に対しデータの記録または読取を行った時の様子を示す図
【符号の説明】
【００４８】
１−電波暗室
２−測定室
５、６−電磁波
１０−ＤＶＤレコーダ
１１−制御部
１２−ピックアップヘッド
１３−記録再生部
１４−Ｄ／Ａコンバータ
１５−映像処理部
１６−受信部
１７−表示部
１８−操作部
１９−記憶部
２０−測定装置
２１−受信アンテナ
１００−光ディスク
１０１−先頭トラック
１０２−所定トラック
１０３−特定のトラック
【図１】
2009104719.tif 000003
【図２】
2009104719.tif 000004
【図３】
2009104719.tif 000005
【図４】
2009104719.tif 000006
【図５】
2009104719.tif 000007